(57)【要約】【課題】ハンドセットに設けた一対の音声入出力部の受話部または送話部への切り換えを適切なタイミングにする。【解決手段】音声検出部５Ａ，５Ｂが音声を検出した時点で上下方向検出部４が上方と検出した方の音声入出力部を受話部とし、他方を受話部とするので、検出した音声が使用者の声であると判断され、その時点でハンドセット１の上下方向を検出すると、使用者がハンドセット１を通話可能な位置にしている可能性が高くなる。これにより、使用者がハンドセット１を手に持ってから通話可能な位置にするまでにハンドセット１の向きを変えても上下方向検出部４による検出が行われず、ハンドセット１を適切な位置にした状態で、上下方向の検出が行われ、音声入出力部３Ａ，３Ｂを適切なタイミングで切り換えることができる。また、音声の検出により判定が行われるので、ハンドセット１が高温な環境下にあっても適切に検出できる。【選択図】図１
2013009134.tif 000002
【特許請求の範囲】
【請求項１】
使用者によって把持されるハンドセットを備えた電話装置であって、
前記ハンドセットは、
筐体を構成する長手方向の一方の第一の端部および他方の第二の端部に内蔵した音声入出力部と、前記ハンドセットの上下方向を検出する上下方向検出部と、前記音声入出力部に入力された音声を検出する音声検出部と、前記音声検出部が音声を検出した時点で、前記上下方向検出部により上方であると検出された前記音声入出力部を受話部とし、下方であると検出された前記音声入出力部を送話部とする制御部と、
を備えたことを特徴とする電話装置。
【発明の詳細な説明】
【技術分野】
【０００１】
本発明は、電話装置に関し、特に、通話時に使用者によって把持されるハンドセットに関するものである。
【背景技術】
【０００２】
一般に、電話装置のハンドセットは、スピーカーを内蔵した受話部とマイクロホンを内蔵した送話部とを備えており、電話装置の使用者は、ハンドセットを手に持ち、受話部を耳に近付け、送話部を口に近付けることで通話を行っていた。ここで、ハンドセットの受話部および送話部は、配置が固定されていた。そのため、ハンドセットが卓上に設置されている場合には、使用者側に送話部が配置され、ハンドセットが壁面に設置されている場合には、下方に送話部が配置されることが一般的であった。そして、ハンドセットが電話装置の本体にコードで接続されている場合には、コードはハンドセットの送話部側の端に接続されることが一般的であった。このような、ハンドセットの設置位置やコードの接続位置により、使用者はハンドセットにおける送話部および受話部の位置を把握していた。
【０００３】
しかしながら、ハンドセットが卓上に設置されている状態で、どの位置からでもハンドセットを取ることができるようにした場合や、ハンドセットが無線にて電話装置の本体に接続されている場合には、上述したハンドセットの設置位置やコードの接続位置を特定することができなくなり、使用者はハンドセットにおける送話部および受話部の位置を把握することができなくなってしまうという問題があった。
【０００４】
このような問題を解決するために、電話装置のハンドセットの両端に一対の音声入出力部（スピーカーおよびマイクロホン）を内蔵し、使用時に下方に位置する音声入出力部を送話部に、上方に位置する音声入出力部を受話部に切り換える技術が知られている（例えば、特許文献１など）。この特許文献１に記載の技術では、ハンドセットに接続されているコードが重力により下方にスライドし、このスライドによりスイッチが操作されて、上下方向が検出されている。
【０００５】
また、ハンドセットの両端に送話部および受話部の両機能を兼ね備えた送受話部を装備し、上下方向を検出する重力センサーをハンドセットに内蔵するとともに、使用者の発声によって生じる息の温度を測定する温度センサーを送受話部の近傍に設けることで、重力センサーがハンドセットの上下を検出することができない場合（例えば、ハンドセットが水平な状態の場合）でも、温度を検出した温度センサーの近傍の送受話部を送話部とし、送受話部の切り換えを実現する技術も知られている（例えば、特許文献２など）。
【０００６】
しかしながら、特許文献１に記載の技術では、音声入出力部が送話部や受話部に切り換えられるタイミングを使用時としているため、使用者がハンドセットを手に持ってから送話部を口近傍に配置させ、受話部を耳近傍に配置させて、通話可能な位置にするまでに、使用者はハンドセットの上下の向きを変えてはいけなくなってしまう。すなわち、一対の音声入出力部を送話部および受話部に切り換えるタイミングが明確ではなくなってしまうという問題があった。一方、特許文献２に記載の技術では、使用者がハンドセットを手に持ってから最初の応対で交わす音声によって生じる息の温度を検出すると、温度を検出した送受話部を操作部としているため、夏場などの気温が高い状態では、温度センサーが誤検出してしまう。すなわち、送受話部を送話部および受話部に適切に切り換えることができなくなってしまうという問題があった。
【先行技術文献】
【特許文献】
【０００７】
【特許文献１】特開平５−３１６１７９号公報
【特許文献２】特開平８−１２５７２６号公報
【発明の概要】
【発明が解決しようとする課題】
【０００８】
本発明は、このような問題を解決するために成されたものであり、ハンドセットに一対の音声入出力部を内蔵し、上方に位置する音声入出力部を受話部とし、下方に位置する音声入出力部を送話部とする電話装置において、使用者がハンドセットを手に持ってから通話可能な位置に配置するまでの間にハンドセットの向きを変えたり、ハンドセットが高温な環境下で使用されたりした場合でも、受話部および送話部が適切な配置となるように、音声入出力部を適切なタイミングで切り換えることができるようにすることを目的とする。
【課題を解決するための手段】
【０００９】
上記した課題を解決するために、本発明では、一対の音声入出力部および音声検出部をハンドセットに内蔵するとともに、ハンドセットの上下方向を検出する上下方向検出部をハンドセットに設け、音声検出部が音声を検出した時点で、上下方向検出部により上方と検出された音声入出力部を受話部とし、下方と検出された音声入出力部を送話部とするようにしている。
【発明の効果】
【００１０】
上記のように構成した本発明によれば、ハンドセットに内蔵した音声検出部が検出した音声が使用者の声であると判断されるので、音声検出部が音声を検出した時点でハンドセットの上下方向を検出すると、使用者がハンドセットを通話可能な位置に配置している可能性が高くなる。これにより、使用者がハンドセットを手に持ってから通話可能な位置に配置するまでの間にハンドセットの向きを変えても、その間は上下方向検出部による上下方向の検出が行われない。そのため、使用者がハンドセットを通話可能な位置に配置した状態で、上下方向検出部による上下方向の検出が行われ、この結果に応じて受話部および送話部が適切な配置となるように音声入出力部の切り換えが行われるので、ハンドセットに内蔵された音声入出力部を適切なタイミングで切り換えることができる。また、使用者が通話可能な状態であることが、音声検出部による音声の検出により判定されるので、ハンドセットが高温な環境下で使用されていても、適切に検出を行うことができる。従って、受話部および送話部が適切な配置となるように、音声入出力部を適切なタイミングで切り換えることができる。
【図面の簡単な説明】
【００１１】
【図１】本実施形態による電話装置の構成例を示す図である。
【図２】本実施形態による電話装置の動作を示すフローチャートである。
【発明を実施するための形態】
【００１２】
以下、本発明の一実施形態を図面に基づいて説明する。図１は、本実施形態による電話装置の構成例を示す図である。図１において、１はハンドセットであり、その筐体の中央部分を使用者によって把持されて使用される。１０は電話装置本体であり、ハンドセット１を載置するための置き台や、他の電話装置との間で通信を行うための通信装置（ともに図示せず）などを備えて構成されている。ここで、ハンドセット１は、制御部２、音声入出力部３Ａ，３Ｂ、上下方向検出部４、音声検出部５Ａ，５Ｂ、無線送受信部６を備えて構成されている。
【００１３】
制御部２は、ハンドセット１の各構成要素を後述するように制御するためのものであり、ＣＰＵ（Central Processing Unit）などにより構成されている。音声入出力部３Ａ，３Ｂは、周囲の音声を入力し音声信号に変換するマイクロホン、および、電話装置本体１０が他の電話装置から入力した音声信号を外部に放音するスピーカーによりそれぞれ構成されている。ここで、音声入出力部３Ａは、ハンドセット１を構成する筐体の長手方向の一方に形成された第一の端部に内蔵されており、音声入出力部３Ｂは、ハンドセット１を構成する筐体の長手方向の他方に形成された第二の端部に内蔵されている。
【００１４】
上下方向検出部４は、重力センサーなどにより構成されており、ハンドセット１を構成する筐体の上下方向を検出する。ここで、上下方向検出部４は、第一の端部および第二の端部のうち、どちらが上方に位置するかを検出して検出信号を生成する。例えば、第一の端部が上方に位置する場合には、検出信号として「０」を生成し、第二の端部が上方に位置する場合には、検出信号として「１」を生成する。
【００１５】
音声検出部５Ａ，５Ｂは、音声入出力部３Ａ，３Ｂに音声が入力したか否かを検出する。ここで、音声検出部５Ａは、ハンドセット１を構成する筐体の長手方向の一方に形成された第一の端部に内蔵されており、音声検出部５Ｂは、ハンドセット１を構成する筐体の長手方向の他方に形成された第二の端部に内蔵されている。すなわち、音声検出部５Ａは、音声入出力部３Ａに接続されており、音声検出部５Ｂは、音声入出力部５Ｂに接続されている。無線送受信部６は、電話装置本体１０との間で音声信号を無線信号により送受信する。
【００１６】
このように構成された電話装置において、使用者が電話装置を使用しようとして、ハンドセット１を電話装置本体１０の置き台からオフフックすると、制御部２はオフフックを検出し、音声入出力部３Ａ，３Ｂ、音声検出部５Ａ，５Ｂ、および、無線送受信部６を動作させる。この状態で、使用者が通話先の電話装置を指定すると、電話装置本体１０は、他の電話装置に呼び出しをかけ、他の電話装置が応答すると、他の電話装置との間で通話路を形成する。そして、使用者はハンドセット１を適切な位置に配置（ハンドセット１の筐体の一方の端部を耳に近付け、他方の端部を口に近付け）し、声を発する。すると、音声入力部３Ａおよび音声入力部３Ｂの少なくとも一方が使用者の声を入力し、音声検出部５Ａおよび音声検出部５Ｂの少なくとも一方が使用者の声を検出する。
【００１７】
音声検出部５Ａ，５Ｂが声を検出すると、制御部２は上下方向検出部４を動作させる。上下方向検出部４は、ハンドセット１の上下方向を検出して検出信号を生成する。そして、上下方向検出部４が、第一の端部が上方に位置することを示す検出信号「０」を生成した場合、制御部２は、ハンドセット１の第一の端部に内蔵されている音声入出力部３Ａのスピーカーを有効とし、マイクロホンを無効とする。また、制御部２は、ハンドセット１の第二の端部に内蔵されている音声入出力部３Ｂのスピーカーを無効とし、マイクロホンを有効とする。これにより、第一の端部に内蔵されている音声入出力部３Ａは受話部として用いられ、第二の端部に内蔵されている音声入出力部３Ｂは送話部として用いられる。
【００１８】
一方、上下方向検出部４が、第二の端部が上方に位置することを示す検出信号「１」を生成した場合、制御部２は、ハンドセット１の第一の端部に内蔵されている音声入出力部３Ａのスピーカーを無効とし、マイクロホンを有効とする。また、制御部２は、ハンドセット１の第二の端部に内蔵されている音声入出力部３Ｂのスピーカーを有効とし、マイクロホンを無効とする。これにより、第一の端部に内蔵されている音声入出力部３Ａは送話部として用いられ、第二の端部に内蔵されている音声入出力部３Ｂは受話部として用いられる。
【００１９】
また、他の電話装置から電話装置が呼び出された場合には、ハンドセット１および電話装置本体１０の少なくとも一方に設けられた報知部（図示せず）を構成するスピーカーが呼出音を鳴らしたり、報知部を構成する表示ディスプレイが報知の表示を行ったり、報知部を構成する表示ランプが報知の点灯を行ったりして報知を行う。その報知を把握した使用者がハンドセット１を電話装置本体１０の置き台からオフフックすると、制御部２はオフフックを検出し、音声入出力部３Ａ，３Ｂ、音声検出部５Ａ，５Ｂ、および、無線送受信部６を動作させる。また、電話装置本体１０は、呼び出しを行った他の電話装置との間で通話路を形成する。そして、使用者はハンドセット１を適切な位置に配置し、音声入出力部３Ａ，３Ｂから出力される相手側の音声を聞いてから声を発する。すると、音声入力部３Ａおよび音声入力部３Ｂの少なくとも一方が使用者の声を入力し、音声検出部５Ａおよび音声検出部５Ｂの少なくとも一方が使用者の声を検出する。
【００２０】
音声検出部５Ａ，５Ｂが声を検出すると、制御部２は上下方向検出部４を動作させる。上下方向検出部４は、ハンドセット１の上下方向を検出して検出信号を生成する。そして、上下方向検出部４が、第一の端部が上方に位置することを示す検出信号「０」を生成した場合、制御部２は、ハンドセット１の第一の端部に内蔵されている音声入出力部３Ａのスピーカーを有効とし、マイクロホンを無効とする。また、制御部２は、ハンドセット１の第二の端部に内蔵されている音声入出力部３Ｂのスピーカーを無効とし、マイクロホンを有効とする。これにより、第一の端部に内蔵されている音声入出力部３Ａは受話部として用いられ、第二の端部に内蔵されている音声入出力部３Ｂは送話部として用いられる。
【００２１】
一方、上下方向検出部４が、第二の端部が上方に位置することを示す検出信号「１」を生成した場合、制御部２は、ハンドセット１の第一の端部に内蔵されている音声入出力部３Ａのスピーカーを無効とし、マイクロホンを有効とする。また、制御部２は、ハンドセット１の第二の端部に内蔵されている音声入出力部３Ｂのスピーカーを有効とし、マイクロホンを無効とする。これにより、第一の端部に内蔵されている音声入出力部３Ａは送話部として用いられ、第二の端部に内蔵されている音声入出力部３Ｂは受話部として用いられる。
【００２２】
次に、本実施形態による電話装置の動作を説明する。図２は、本実施形態による電話装置の動作を示すフローチャートである。まず、ハンドセット１がオフフックされたか否かを制御部２にて調べる（ステップＳ１）。ハンドセット１がオフフックされていないと制御部２にて判断した場合には（ステップＳ１にてＮＯ）、ステップＳ１の処理を繰り返す。一方、ハンドセット１がオフフックされたと制御部２にて判断した場合には（ステップＳ１にてＹＥＳ）、制御部２は音声入出力部３Ａ，３Ｂをともに有効とする（ステップＳ２）。ここで、以下の処理の途中でハンドセット１がオンフックされたと制御部２にて判断した場合には、処理を中止する。
【００２３】
そして、音声検出部５Ａ，５Ｂが音声を検出したか否かを制御部２にて調べる（ステップＳ３）。音声検出部５Ａ，５Ｂが音声を検出していないと制御部２にて判断した場合には（ステップＳ３にてＮＯ）、ステップＳ３の処理を繰り返す。一方、音声検出部５Ａ，５Ｂが音声を検出したと制御部２にて判断した場合には（ステップＳ３にてＹＥＳ）、制御部２は上下方向検出部４を動作させ、上下方向検出部４はハンドセット１の上下方向を検出する（ステップＳ４）。
【００２４】
この状態で、上下方向検出部４によりハンドセット１の上下方向が検出されたか否かを制御部２にて調べる（ステップＳ５）。上下方向検出部４によりハンドセット１の上下方向が検出されなかったと制御部２にて判断した場合には（ステップＳ５にてＮＯ）、ステップＳ５の処理を繰り返す。一方、上下方向検出部４によりハンドセット１の上下方向が検出されたと制御部２にて判断した場合には（ステップＳ５にてＹＥＳ）、制御部２は、上方と判断された音声入出力部３Ａまたは音声入出力部３Ｂを受話部とし、下方と判断された音声入出力部３Ａまたは音声入出力部３Ｂを送話部とする（ステップＳ６）。
【００２５】
以上詳しく説明したように、本実施形態では、音声入出力部３Ａ，３Ｂおよび音声検出部５Ａ，５Ｂをハンドセット１の筐体の両端部に内蔵するとともに、ハンドセット１の上下方向を検出する上下方向検出部４をハンドセット１に設ける。そして、音声検出部５Ａ，５Ｂの少なくとも一方が音声を検出した時点で、制御部２は上下方向検出部４を動作させ、上下方向検出部４が上方と検出した端部に内蔵されている音声入出力部３Ａまたは音声入出力部３Ｂを受話部とし、下方と検出した端部に内蔵されている音声入出力部３Ａまたは音声入出力部を受話部とするようにしている。
【００２６】
これにより、ハンドセット１に内蔵した音声検出部５Ａ，５Ｂが検出した音声が使用者の声であると判断されるので、音声検出部５Ａ，５Ｂが音声を検出した時点でハンドセット１の上下方向を検出すると、使用者がハンドセット１を通話可能な位置に配置している可能性が高くなる。これにより、使用者がハンドセット１を手に持ってから通話可能な位置に配置するまでの間にハンドセット１の向きを変えても、その間は上下方向検出部４による上下方向の検出が行われない。そのため、使用者がハンドセット１を通話可能な位置に配置した状態で、上下方向検出部４による上下方向の検出が行われ、この結果に応じて受話部および送話部が適切な配置となるように音声入出力部３Ａ，３Ｂの切り換えが行われるので、ハンドセット１に内蔵された音声入出力部３Ａ，３Ｂを適切なタイミングで切り換えることができる。また、使用者が通話可能な状態であることが、音声検出部５Ａ，５Ｂによる音声の検出により判定されるので、ハンドセット１が高温な環境下で使用されていても、適切に検出を行うことができる。従って、受話部および送話部が適切な配置となるように、音声入出力部３Ａ，３Ｂを適切なタイミングで切り換えることができる。
【００２７】
なお、本実施形態では、音声検出部５Ａ，５Ｂを音声入出力部３Ａ，３Ｂに対応させて設けるようにしているが、これに限定されない。例えば、１つの音声検出部が両方の音声入出力部３Ａ，３Ｂに入力する音声を検出するようにしても良い。
【００２８】
また、本実施形態では、音声検出部５Ａ，５Ｂをハンドセット１の端部に内蔵しているが、これに限定されない。例えば、ハンドセット１の使用者によって把持される部分に音声検出部５Ａ，５Ｂを内蔵するようにしても良い。
【００２９】
また、本実施形態では、ハンドセット１および電話装置本体１０との間が無線により接続されているが、これに限定されない。例えば、ハンドセット１と電話装置本体１０との間が有線により接続されるようにしても良い。
【００３０】
また、本実施形態では、制御部２は、音声検出部５Ａ，５Ｂが音声を検出した場合に上下方向検出部４を動作させるようにしているが、これに限定されない。例えば、制御部２は、上下方向検出部４を常に動作させておき、音声検出部５Ａ，５Ｂが音声を検出した場合に上下方向検出部４によって生成される検出信号を入力するようにしても良い。
【００３１】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３２】
１    ハンドセット
２    制御部
３Ａ，３Ｂ    音声入出力部
４    上下方向検出部
５Ａ，５Ｂ    音声検出部
１０    電話装置本体
【図１】
2013009134.tif 000003
【図２】
2013009134.tif 000004